(57)【要約】【課題】部品点数の増加に伴うコストの増加を招くことなく、原稿移動読取モード時における光源の温度上昇を抑制することができ、当該光源の温度上昇に伴う光量変動を抑制することが可能な画像読取装置を提供することを課題とする。【解決手段】原稿の画像を第１のキャリッジに搭載された光源によって照明しつつ、当該原稿の画像を読取る第１及び第２のキャリッジを備えた走査光学系を所定の読取位置に停止させた状態で、前記読取位置を一定の速度で通過するように前記原稿を搬送しつつ、当該原稿の画像を読取る原稿移動読取モードを備えた画像読取装置において、前記第１のキャリッジに前記光源を密着させた状態で装着し、当該第１のキャリッジによって前記光源の保持機能と放熱機能とを兼用するように構成して課題を解決した。【選択図】図１
2007295202.tif 000002
【特許請求の範囲】
【請求項１】
原稿の画像を第１のキャリッジに搭載された光源によって照明しつつ、当該原稿の画像を読取る第１及び第２のキャリッジを備えた走査光学系を所定の読取位置に停止させた状態で、前記読取位置を一定の速度で通過するように前記原稿を搬送しつつ、当該原稿の画像を読取る原稿移動読取モードを備えた画像読取装置において、
前記第１のキャリッジに前記光源を密着させた状態で装着し、当該第１のキャリッジによって前記光源の保持機能と放熱機能とを兼用したことを特徴とする画像読取装置。
【請求項２】
前記第１のキャリッジは、前記原稿移動読取モード時における読取位置において、熱伝導部材を介して読取装置筐体に接触するように構成したことを特徴とする請求項１に記載の画像読取装置。
【請求項３】
前記第１のキャリッジには、前記光源を熱伝導率の高い接着剤を介して接着により固着したことを特徴とする請求項１又は２に記載の画像読取装置。
【請求項４】
前記第１のキャリッジの前記光源を装着する部材には、放熱用のフィンを一体的に設けたことを特徴とする請求項１乃至３のいずれかに記載の画像読取装置。
【請求項５】
前記第１のキャリッジの前記光源を装着する部材は、当該光源の光を原稿へと反射する反射部材としての機能をも兼ね備えたことを特徴とする請求項１乃至４のいずれかに記載の画像読取装置。
【発明の詳細な説明】
【技術分野】
【０００１】
この発明は、電子写真方式等を採用した複写機やプリンター、あるいはファクシミリ等の画像形成装置などに使用される画像読取装置に関し、特に原稿の画像を読み取る走査光学系を所定の位置に停止させた状態で、原稿を一定の速度で搬送しつつ、当該原稿の画像を読取手段によって読み取る原稿移動読取モードを備えた画像読取装置に関するものである。
【背景技術】
【０００２】
【特許文献１】特開２００１−１４４９０７号公報
【０００３】
従来、この種の電子写真方式等を採用した複写機やプリンター、あるいはファクシミリ等の画像形成装置に使用される画像読取装置としては、原稿をプラテンガラス上に載置した状態で、当該原稿の画像を光源によって照明し、原稿の画像を１枚のフルレートミラーと２枚のハーフレートミラーによって光路を折り返した状態で、結像レンズを介してＣＣＤ等からなる読取素子上に結像し、走査光学系を介して原稿の画像を走査露光することによって、原稿の画像を読み取るように構成されている。
【０００４】
また、上記画像読取装置では、原稿をプラテンガラス上に載置した状態で読み取る原稿固定読取モードの他に、光源やフルレートミラー、及びハーフレートミラー等からなる走査光学系を所定の位置に停止させた状態で、原稿を一定の速度で搬送しつつ、当該原稿の画像を走査光学系を介して読み取る原稿移動読取モードを備えるように構成されている場合が多い。
【０００５】
ところで、上記の如く構成される画像読取装置では、原稿移動読取モードで原稿の画像を読み取る際に、走査光学系が所定の位置に停止した状態で、当該原稿の画像を走査光学系を介して読み取ることになるため、所定の位置に停止した光源が読取位置を常時照明することになり、光源自体の温度が上昇し、光源の光量が低下するばかりか不均一となるとともに、読取位置近傍の部材の温度が上昇するという問題点を有していた。
【０００６】
そこで、かかる問題点を解決し得る技術としては、例えば、特開２００１−１４４９０７号公報等に開示された技術が既に提案されている。
【０００７】
この特開２００１−１４４９０７号公報に係る原稿読取装置は、原稿を載置するプラテン上に原稿を静止させ走査光学系を移動させることにより原稿データを読み取る第１モードと、前記走査光学系を静止させ原稿を移動することにより原稿データを読み取る第２モードとを備え、前記第２モードの場合には原稿の読み取りに先だって、前記プラテン上方に第１基準部材がもうけられた移動原稿読み取り位置に前記走査光学系の光源を移動してシェーディング補正を行い、その後、固定原稿読み取り位置に前記走査光学系の光源が移動して、主走査方向の原稿読み取り部外で、第２基準部材によるシェーディング補正を行う構成の原稿読取装置であって、前記走査光学系の光源の近傍または周辺に該光源の放熱を行うための放熱手段を具備するように構成したものである。
【発明の開示】
【発明が解決しようとする課題】
【０００８】
しかしながら、上記従来技術の場合には、次のような問題点を有している。すなわち、上記特開２００１−１４４９０７号公報に係る原稿読取装置の場合には、放熱手段の具体的な構成として、走査光学系の光源に金属部材を直接接触させたり、放熱手段として走査光学系の光源にエアーを当てるように構成したものであるが、光源の温度上昇を抑制するために、金属部材からなる放熱手段や、エアーフローを形成するファンを新たに設ける必要があり、部品点数の増加に伴うコストの増加を招くという問題点を有していた。
【０００９】
そこで、この発明は、上記従来技術の問題点を解決するためになされたものであり、その目的とするところは、部品点数の増加に伴うコストの増加を招くことなく、原稿移動読取モード時における光源の温度上昇を抑制することができ、当該光源の温度上昇に伴う光量変動を抑制することが可能な画像読取装置を提供することにある。
【課題を解決するための手段】
【００１０】
すなわち、請求項１に記載された発明は、原稿の画像を第１のキャリッジに搭載された光源によって照明しつつ、当該原稿の画像を読取る第１及び第２のキャリッジを備えた走査光学系を所定の読取位置に停止させた状態で、前記読取位置を一定の速度で通過するように前記原稿を搬送しつつ、当該原稿の画像を読取る原稿移動読取モードを備えた画像読取装置において、
前記第１のキャリッジに前記光源を密着させた状態で装着し、当該第１のキャリッジによって前記光源の保持機能と放熱機能とを兼用したことを特徴とする画像読取装置である。
【００１１】
また、請求項２に記載された発明は、前記第１のキャリッジは、前記原稿移動読取モード時における読取位置において、熱伝導部材を介して読取装置筐体に接触するように構成したことを特徴とする請求項１に記載の画像読取装置である。
【００１２】
さらに、請求項３に記載された発明は、前記第１のキャリッジには、前記光源を熱伝導率の高い接着剤を介して接着により固着したことを特徴とする請求項１又は２に記載の画像読取装置である。
【００１３】
又、請求項４に記載された発明は、前記第１のキャリッジの前記光源を装着する部材には、放熱用のフィンを一体的に設けたことを特徴とする請求項１乃至３のいずれかに記載の画像読取装置である。
【００１４】
更に、請求項５に記載された発明は、前記第１のキャリッジの前記光源を装着する部材は、当該光源の光を原稿へと反射する反射部材としての機能をも兼ね備えたことを特徴とする請求項１乃至４のいずれかに記載の画像読取装置である。
【発明の効果】
【００１５】
この発明によれば、部品点数の増加に伴うコストの増加を招くことなく、原稿移動読取モード時における光源の温度上昇を抑制することができ、当該光源の温度上昇に伴う光量変動を抑制することが可能な画像読取装置を提供することができる。
【発明を実施するための最良の形態】
【００１６】
以下に、この発明の実施の形態について図面を参照して説明する。
【００１７】
実施の形態１
図２はこの発明の実施の形態１に係る画像読取装置の全体を示す断面構成図である。
【００１８】
図２において、１は画像読取装置の筐体を示すものであり、この画像読取装置筐体１は、内面が金属製のフレーム２によって構成され、上端面が大きく開口した略直方体形状の箱体状に形成されている。上記画像読取装置筐体１の上端面には、原稿３を載置する面積の大きな第１のプラテンガラス４が配設されているとともに、当該画像読取装置筐体１の上部には、第１のプラテンガラス４上に原稿３を押圧するプラテンカバーを兼ねた自動原稿搬送装置５（ＤＡＤＦ：ｄｕｐｌｅｘ  ａｕｔｏ  ｄｏｃｕｍｅｎｔ  ｆｅｅｄｅｒ）が開閉自在に配設されている。また、上記画像読取装置筐体１の上端面には、第１のプラテンガラス４の左側の端部に、原稿３' を一定の速度で搬送しつつ、当該原稿３' の画像を読み取るための幅の狭い第２のプラテンガラス６が配設されている。さらに、上記第２のプラテンガラス６と第１のプラテンガラス４との間には、当該第１のプラテンガラス４上に載置される原稿３の一端を付き当てて位置決めするための付き当て部材７が取り付けられている。
【００１９】
上記自動原稿搬送装置５は、図２に示すように、プラテンカバー部８の左側の端部に、原稿３を自動的に搬送する原稿搬送部９を備えている。この原稿搬送部９は、原稿載置トレイ１０上に載置された原稿３が、ナジャーロール１１によって給送されるとともに、リタードロール１２とフィードロール１３によって１枚ずつ分離した状態で給紙され、当該原稿３は、原稿搬送路１４に沿って配設された複数組の搬送ロール１５、１６、１７によって一定の速度で搬送されつつ、第２のプラテンガラス６上を通過する際に、後述するように走査光学系によって読み取られるようになっている。上記搬送ロール１５、１６、１７によって搬送された原稿３は、排出ロール１８によってプラテンカバー部８の上面にもうけられた排出トレイ１９上に排出される。
【００２０】
また、上記原稿３の表裏両面の画像を読み取る場合には、片面の画像が読み取られた原稿３を排出ロール１８によってそのまま排出トレイ１９上に排出せずに、原稿３の後端を排出ロール１８によって挟持している間に、当該排出ロール１８を逆転させて表裏反転経路２０へと導入し、この表裏反転経路２０を介して原稿３の表裏を反転した状態で、搬送ロール１５、１６、１７によって一定の速度で搬送されつつ、第２のプラテンガラス６上を通過する際に、原稿３の裏面の画像が後述するように走査光学系によって読み取られるようになっている。
【００２１】
さらに、上記画像読取装置筐体１の内部には、図２に示すように、自動原稿搬送装置５のプラテンカバー部８によって押圧された状態で、プラテンガラス４上に載置された原稿３を照明するキセノンランプ等からなる照明光源２１と、原稿３からの反射光像を水平方向に反射するフルレートミラー２２とが搭載された第１キャリッジ２３が配設されているとともに、前記フルレートミラー２２によって反射された原稿３の反射光像を折り返すように反射する２枚のハーフレートミラー２４、２５が取り付けられた第２キャリッジ２６が配設されている。上記第１及び第２キャリッジ２３、２６は、副走査方向に沿って配設されたガイドレール（図示せず）によって、画像読取装置に対して水平方向に沿ってスライド自在に取り付けられている。また、上記第１及び第２キャリッジ２３、２６は、図示しない駆動モータによって回転駆動される駆動プーリと、当該駆動プーリによって移動する張架ワイヤーとによって、第１キャリッジ２３がスキャン方向に沿って所定の移動速度Ｖで移動可能となっているとともに、第２キャリッジ２６がスキャン方向に沿って所定の移動速度（１／２）Ｖで移動可能となっている。その結果、上記第１及び第２キャリッジ２３、２６は、第１のプラテンガラス４上に載置された原稿３の画像を、光路長を変化させずに走査露光するように構成されている。
【００２２】
また、上記画像読取装置は、図２に示すように、原稿３の画像を光源によって照明しつつ、当該原稿３の画像を読取る走査光学系を所定の読取位置に停止させた状態で、前記読取位置を一定の速度で通過するように前記原稿３を搬送しつつ、当該原稿３の画像を読取る原稿移動読取モードを備えている。この原稿移動読取モード時においては、第１及び第２キャリッジ２３、２６は、図２に示すように、第１キャリッジ２３が第２のプラテンガラス６の直下に位置する読取位置で停止し、当該第２のプラテンガラス６上を一定の速度で移動する原稿３の画像を読み取るようになっている。
【００２３】
さらに、上記画像読取装置筐体１の内部には、図２に示すように、第１及び第２キャリッジ２３、２６によって走査露光される原稿３の画像を結像する結像レンズ２７が固定した状態で配設されているとともに、当該結像レンズ２７によって結像される原稿３の画像を読み取る読取手段としてのＣＣＤセンサー２８が固定した状態で配設されている。そして、上記原稿３の画像は、走査光学系２９を介してＣＣＤセンサー２８上に走査露光され、当該ＣＣＤセンサー２８によって所定のドット密度（例えば、４００ｄｐｉや６００ｄｐｉ）で読み取られるように構成されている。
【００２４】
上記ＣＣＤセンサー２８は、ＣＣＤプリント基板３０に取り付けられており、当該ＣＣＤプリント基板３０に設けられた図示しない駆動回路によって駆動されるように構成されている。上記ＣＣＤセンサー２８によって読み取られた原稿３の画像は、例えば、赤（Ｒ）、緑（Ｇ）、青（Ｂ）（各８ｂｉｔ）の３色の画像データとして画像処理／制御回路３１に送られ、当該画像処理／制御回路３１では、原稿３の画像データに対して、シェーディング補正、位置ズレ補正、明度／色空間変換、ガンマ補正、枠消し等の所定の画像処理が施され、イメージデータが出力される。また、上記画像処理／制御回路３１は、第１及び第２キャリッジ２３、２６を駆動させる図示しない駆動モータを制御することによって、原稿３の画像を所定の倍率で読み取ることが可能となっている。
【００２５】
そして、上記の如く画像処理／制御回路３１で画像処理が施された画像データは、イエロー（Ｙ）、マゼンタ（Ｍ）、シアン（Ｃ）、黒（Ｋ）（各８ｂｉｔ）の４色の画像データに変換され、図示しない複写機やプリンターなどの画像出力装置に出力されるように構成されている。また、上記の如く画像処理／制御回路３１で画像処理が施された画像データは、図示しないパーソナルコンピュータ等に出力され、当該パーソナルコンピュータで所望の処理が行われるように構成されても勿論良い。
【００２６】
ところで、この実施の形態では、原稿の画像を第１のキャリッジに搭載された光源によって照明しつつ、当該原稿の画像を読取る第１及び第２のキャリッジを備えた走査光学系を所定の読取位置に停止させた状態で、前記読取位置を一定の速度で通過するように前記原稿を搬送しつつ、当該原稿の画像を読取る原稿移動読取モードを備えた画像読取装置において、前記第１のキャリッジに前記光源を密着させた状態で装着し、当該第１のキャリッジによって前記光源の保持機能と放熱機能とを兼用するように構成されている。
【００２７】
また、この実施の形態では、前記第１のキャリッジには、前記光源を熱伝導率の高い接着剤を介して接着により固着するように構成されている。
【００２８】
さらに、この実施の形態では、前記第１のキャリッジの前記光源を装着する部材には、放熱用のフィンを一体的に設けるように構成されている。
【００２９】
すなわち、この実施の形態に係る画像読取装置は、図１及び図３に示すように、第１キャリッジ２３にキセノンランプ等からなる照明光源２１が搭載されているが、この照明光源２１は、第１キャリッジ２３に設けられた保持部材３２に、熱伝導率の高い接着剤３３を介して接着により固着されている。上記保持部材３２は、例えば、アルミニウムのダイキャストによって製造されており、当該保持部材３２には、照明光源２１を接着により固定するため、当該照明光源２１の曲率半径よりも若干大きな曲率半径を有する円弧状部３４が一体的に設けられている。上記保持部材３２の円弧状部３４は、図１に示すように、長尺な照明光源２１の略全長にわたって設けられており、当該照明光源２１を略全長にわたって保持するように構成されている。そして、上記保持部材３２の円弧状部３４には、例えば、照明光源２１がシリコン系の接着剤３３を介して接着されている。この接着剤３３としては、照明光源２１の熱を効率良く保持部材３２に伝えるため、熱伝導率の高い接着剤３３を使用するのが望ましい。
【００３０】
また、上記保持部材３２の下端部には、平板状に形成された取り付け部３５を備えており、当該取り付け部３５の先端部には、複数（図示例では、３枚）の放熱用フィン３６が立設されている。この保持部材３２は、取り付け部３５を介して、第１キャリッジ２３上にネジ止め等によって取り付けれている。
【００３１】
さらに、上記照明光源２１は、通常、その長手方向の両端部に設けられたホルダーを介して、第１キャリッジ２３上に取り付けれているが、本実施の形態では、照明光源２１が第１キャリッジ２３上に設けれた保持部材３２に直接接着されて取り付けられているため、ホルダー３７を省略することができ、この点でも部品点数の低減が可能となっている。
【００３２】
なお、図３中、符号３８は照明光源２１からの光を原稿３へと反射する反射部材を示している。
【００３３】
以上の構成において、この実施の形態１に係る画像読取装置では、次のようにして、部品点数の増加に伴うコストの増加を招くことなく、原稿移動読取モード時における光源の温度上昇を抑制することができ、当該光源の温度上昇に伴う光量変動を抑制することが可能となっている。
【００３４】
すなわち、この実施の形態１に係る画像読取装置では、図２に示すように、原稿移動読取モード時に、第１及び第２キャリッジ２３、２６が画像読取装置筐体１の左端部へと移動し、当該第１キャリッジ２３が第２のプラテンガラス６の下方に位置する読取位置へと移動して停止する。
【００３５】
この状態で、上記画像読取装置は、図２に示すように、自動原稿搬送装置５の自動原稿搬送部９によって原稿３を一定の速度で搬送し、当該原稿３を一定の速度で第２のプラテンガラス６上を通過させるようになっている。その際、上記第１キャリッジ２３は、照明光源２１を点灯させて、第２のプラテンガラス６上を一定の速度で移動する原稿３の画像を照明しつつ、当該原稿３からの反射光像を、当該第１キャリッジ２３のフルレートミラー２２、及び第２キャリッジ２６の２枚のハーフレートミラー２４、２５によって反射し、結像レンズ２７を介してＣＣＤセンサー２８上に走査露光することにより、原稿３の画像がＣＣＤセンサー２８によって読取られる。
【００３６】
このとき、上記第１キャリッジ２３に搭載された照明光源２１は、原稿移動読取モード時において、常時点灯した状態となるため、当該照明光源２１の温度が上昇する。
【００３７】
ところで、この実施の形態１では、照明光源２１が第１キャリッジ２３に設けられた保持部材３２の円弧状部３４に、熱伝導率の高い接着剤３３を介して接着により固着されているため、照明光源２１の熱は、保持部材３２の円弧状部３４を介して第１キャリッジ２３に伝達されるとともに、保持部材３２に設けられた放熱用のフィンを介して外部に放出される。
【００３８】
そのため、この実施の形態１では、図４に示すように、第１キャリッジ２３及び照明光源２１の温度が不本意に上昇することがなく、原稿移動読取モード時に、照明光源２１の温度が上昇することに伴う光源の光量（照度）低下や光量のばらつき、及び読取位置近傍に配設された第２のプラテンガラス６等の部材の温度が上昇することに伴う弊害を回避することが可能となっている。なお、図４（ａ）（ｂ）において、実線は従来の放熱機能を備えていない画像読取装置の特性を、破線は本発明の放熱機能を備えた画像読取装置の特性をそれぞれ示している。
【００３９】
また、この実施の形態１では、第１キャリッジ２３に保持部材３２を設けるだけでよく、別部材としての放熱部材やファンなどの放熱手段を設ける必要がなく、部品点数の増加に伴うコストの増加を招くことがない。
【００４０】
実施の形態２
図５はこの発明の実施の形態２を示すものであり、前記実施の形態１と同一の部分には同一の符号を付して説明すると、この実施の形態２では、前記第１のキャリッジは、前記原稿移動読取モード時における読取位置において、熱伝導部材を介して読取装置筐体に接触するように構成されている。
【００４１】
すなわち、この実施の形態２では、図５に示すように、第１キャリッジ２３の先端面２３ａに、金属や充填剤を充填することにより熱伝導率を高めた合成樹脂等からなる熱伝導部材４０が取り付けられており、当該第１のキャリッジ２３は、前記原稿移動読取モード時における読取位置において、熱伝導部材４０を介して画像読取装置筐体１のフレーム２に接触するように構成されている。
【００４２】
この実施の形態２では、第１キャリッジ２３の放熱用フィン３６によって十分放熱できない場合であっても、図５に示すように、原稿移動読取モード時における読取位置において、第１のキャリッジ２３が熱伝導部材４０を介して画像読取装置筐体１のフレーム２に接触するように構成されているので、第１のキャリッジ２３の熱を熱伝導部材４０を介して画像読取装置筐体１のフレーム２に逃がすことができ、第１キャリッジ２３及び照明光源２１の温度が不本意に上昇するのを、より一層効果的に防止することができる。
【００４３】
なお、上記熱伝導部材４０は、第１のキャリッジ２３側に設ける場合に限らず、画像読取装置筐体１のフレーム２側に設けても勿論良い。
【００４４】
その他の構成及び作用は、前記実施の形態１と同様であるので、その説明を省略する。
【００４５】
また、上記保持部材３２の円弧状部３４は、その曲率や向きを適宜設定することにより、照明光源２１の光を原稿３へと反射する補助反射板の機能を備えるように構成しても良い。
【図面の簡単な説明】
【００４６】
【図１】図１はこの発明の実施の形態１に係る画像読取装置の要部を示す平面構成図である。
【図２】図２はこの発明の実施の形態１に係る画像読取装置を示す断面構成図である。
【図３】図３はこの発明の実施の形態１に係る画像読取装置の変形例の要部を示す平面構成図である。
【図４】図４はこの発明の実施の形態１に係る画像読取装置の作用を示すグラフである。
【図５】図５はこの発明の実施の形態２に係る画像読取装置の要部を示す平面構成図である。
【符号の説明】
【００４７】
１：画像読取装置筐体、２：金属製フレーム、３、３' ：原稿、４：第１のプラテンガラス、６：第２のプラテンガラス、２１：照明光源、２３：第１キャリッジ、２６：第２キャリッジ、３２：保持部材、３３：接着剤。
【図１】
2007295202.tif 000003
【図２】
2007295202.tif 000004
【図３】
2007295202.tif 000005
【図４】
2007295202.tif 000006
【図５】
2007295202.tif 000007